(57)【要約】      （修正有）【課題】歯科医師の足元が煩雑にならない歯科用レーザー機器を備えた歯科治療ユニットおよび歯科用レーザー機器を提供する。【解決手段】圧縮空気を供給するエアホース１２２と、患部に向けてレーザービームを照射するレーザー照射機構１５１を有する歯科用レーザー機器１５０とを備えた歯科治療ユニットであって、前記歯科用レーザー機器１５０が、前記エアホース１２２に接続され、前記歯科用レーザー機器１５０へ供給される前記圧縮空気の有無に応じて前記歯科用レーザー機器１５０によるレーザービームの照射および非照射が切り換えられることを特徴とする歯科治療ユニット。【選択図】図３
2019048028.tif 000002
【特許請求の範囲】
【請求項１】
圧縮空気により作動する歯科用治療機器に前記圧縮空気を供給するエアホースと、前記歯科用治療機器への前記圧縮空気の供給量を制御するフットコントローラーと、患部に向けてレーザービームを照射するレーザー照射機構を有する歯科用レーザー機器とを備えた歯科治療ユニットであって、
前記歯科用レーザー機器が、前記エアホースに対して脱着自在であり、
前記歯科用レーザー機器へ供給される前記圧縮空気の有無に応じて前記歯科用レーザー機器によるレーザービームの照射および非照射が切り換えられることを特徴とする歯科治療ユニット。
【請求項２】
前記歯科用レーザー機器が、前記圧縮空気の供給を感知する空気供給検知手段を備え、
前記歯科用レーザー機器のレーザー照射機構から照射されるレーザービームの出力は、前記空気供給検知手段が検知した瞬間流量に応じて調整されることを特徴とする請求項１に記載の歯科治療ユニット。
【請求項３】
前記空気供給検知手段が、感圧素子であることを特徴とする請求項２に記載の歯科治療ユニット。
【請求項４】
前記歯科用レーザー機器のレーザー照射機構が、レーザーダイオードを有し、
該レーザーダイオードが、前記圧縮空気によって冷却されることを特徴とする請求項１から３のいずれか１項に記載の歯科治療ユニット。
【請求項５】
前記歯科用治療機器が、切削バーおよびエアタービン本体を有するエアタービンであり、
前記エアホースが、前記エアタービンにエアタービン駆動用空気を供給するタービンホースであり、
前記フットコントローラーが、前記エアタービン駆動用空気の供給量を制御することを特徴とする請求項１から４のいずれか１項に記載の歯科治療ユニット。
【請求項６】
前記タービンホースが、前記エアタービン駆動用空気を排出するエアタービン駆動用空気給気路と、前記エアタービン駆動用空気を回収するエアタービン駆動用空気排気路とを有し、
前記タービンホースのエアタービン駆動用空気給気路から前記歯科用レーザー機器に供給される前記エアタービン駆動用空気が、前記歯科用レーザー機器内を通過した後、前記タービンホースのエアタービン駆動用空気排気路に流入することを特徴とする請求項５に記載の歯科治療ユニット。
【請求項７】
前記歯科用レーザー機器が、液体噴出口および空気噴出口を有していることを特徴とする請求項１から６のいずれか１項に記載の歯科治療ユニット。
【請求項８】
患部に向けてレーザービームを照射するレーザー照射機構を有した歯科用レーザー機器において、
前記歯科用レーザー機器が、圧縮空気により作動する歯科用治療機器に前記圧縮空気を供給するエアホースと前記歯科用治療機器への前記圧縮空気の供給量を制御するフットコントローラーとを備えた歯科治療ユニットの前記エアホースに対して着脱自在であり、
前記歯科用レーザー機器へ供給される前記圧縮空気の有無に応じて前記歯科用レーザー機器によるレーザービームの照射および非照射が切り換えられることを特徴とする歯科用レーザー機器。
【発明の詳細な説明】
【技術分野】
【０００１】
本発明は、歯科治療ユニットおよび歯科用レーザー機器に関し、詳しくは、圧縮空気により作動する歯科用治療機器に圧縮空気を供給するエアホースに接続可能な歯科用レーザー機器を備えた歯科治療ユニットおよびエアホースに接続可能な歯科用レーザー機器に関する。
【背景技術】
【０００２】
従来、う蝕歯質の除去や根管治療、知覚過敏症の疼痛軽減などの歯牙硬組織に対する処置を目的として、歯科用レーザー機器が用いられている（特許文献１参照）。
【０００３】
この歯科用レーザー機器は、所定の波長を有するレーザービームを発振させるためのレーザー媒質と、このレーザー媒質に励起光を供給するための励起光源と、この励起光源への電力供給を制御するフットコントローラーと、レーザービームを患部に照射するためのハンドピースとを備えている。歯科医師は、この歯科用レーザー機器のフットコントローラーを操作することで患部へレーザービームを照射し、患者に対して処置を行う。
【先行技術文献】
【特許文献】
【０００４】
【特許文献１】特開２００６−２０４６０９号公報
【発明の概要】
【発明が解決しようとする課題】
【０００５】
上述のような歯科用レーザー機器を用いる場合、歯科医師の足元には、歯科診療ユニットのエアタービン等を駆動するためのフットコントローラーが設置されるだけでなく、歯科用レーザー機器を作動させるためのフットコントローラーも設置されることとなり、歯科医師の足元が煩雑になってしまうという問題があった。
【０００６】
本発明は、これらの実情に鑑みてなされたものであり、歯科医師の足元が煩雑にならない歯科用レーザー機器を備えた歯科治療ユニットおよび歯科用レーザー機器を提供することをその目的とする。
【課題を解決するための手段】
【０００７】
上記課題を解決するために、請求項１の発明は、圧縮空気により作動する歯科用治療機器に前記圧縮空気を供給するエアホースと、前記歯科用治療機器への前記圧縮空気の供給量を制御するフットコントローラーと、患部に向けてレーザービームを照射するレーザー照射機構を有する歯科用レーザー機器とを備えた歯科治療ユニットであって、前記歯科用レーザー機器が、前記エアホースに対して脱着自在であり、前記歯科用レーザー機器へ供給される前記圧縮空気の有無に応じて前記歯科用レーザー機器によるレーザービームの照射および非照射が切り換えられることを特徴とするものである。
【０００８】
請求項２の発明は、請求項１の発明において、前記歯科用レーザー機器が、前記圧縮空気の供給を感知する空気供給検知手段を備え、前記歯科用レーザー機器のレーザー照射機構から照射されるレーザービームの出力は、前記空気供給検知手段が検知した瞬間流量に応じて調整されることを特徴とするものである。
【０００９】
請求項３の発明は、請求項２の発明において、前記空気供給検知手段が、感圧素子であることを特徴とするものである。
【００１０】
請求項４の発明は、請求項１から３のいずれかの発明において、前記歯科用レーザー機器のレーザー照射機構が、レーザーダイオードを有し、該レーザーダイオードが、前記エアタービン駆動用空気によって冷却されることを特徴とするものである。
【００１１】
請求項５の発明は、請求項１から４のいずれかの発明において、前記歯科用治療機器が、切削バーおよびエアタービン本体を有するエアタービンであり、前記エアホースが、前記エアタービンにエアタービン駆動用空気を供給するタービンホースであり、前記フットコントローラーが、前記エアタービン駆動用空気の供給量を制御することを特徴とするものである。
【００１２】
請求項６の発明は、請求項５の発明において、前記タービンホースが、前記エアタービン駆動用空気を排出するエアタービン駆動用空気給気路と、前記エアタービン駆動用空気を回収するエアタービン駆動用空気排気路とを有し、前記タービンホースのエアタービン駆動用空気給気路から前記歯科用レーザー機器に供給される前記エアタービン駆動用空気が、前記歯科用レーザー機器内を通過した後、前記タービンホースのエアタービン駆動用空気排気路に流入することを特徴とするものである。
【００１３】
請求項７の発明は、請求項１から６のいずれかの発明において、前記歯科用レーザー機器が、液体噴出口および空気噴出口を有していることを特徴とするものである。
【００１４】
請求項８の発明は、患部に向けてレーザービームを照射するレーザー照射機構を有した歯科用レーザー機器において、前記歯科用レーザー機器が、圧縮空気により作動する歯科用治療機器に前記圧縮空気を供給するエアホースと前記歯科用治療機器への前記圧縮空気の供給量を制御するフットコントローラーとを備えた歯科治療ユニットの前記エアホースに対して着脱自在であり、前記歯科用レーザー機器へ供給される前記圧縮空気の有無に応じて前記歯科用レーザー機器によるレーザービームの照射および非照射が切り換えられることを特徴とするものである。
【発明の効果】
【００１５】
本発明によれば、歯科用レーザー機器へ供給される圧縮空気の有無に応じて歯科用レーザー機器によるレーザービームの照射および非照射が切り換えられることにより、歯科用レーザー機器を操作するための専用のフットコントローラーを設ける必要がなくなるため、歯科医師の足元がすっきりし、作業環境を向上させることができる。
【図面の簡単な説明】
【００１６】
【図１】本発明の一実施形態に係る歯科治療ユニットの一例を示す全体斜視図である。
【図２】本発明の一実施形態に係る歯科治療ユニットにおいて、装置構成を示すブロック図である。
【図３】本発明の一実施形態に係る歯科治療ユニットにおいて、歯科用レーザー機器の内部構造を示した概略図である。
【発明を実施するための形態】
【００１７】
以下、図面を参照しながら、本発明の歯科用レーザー機器および歯科治療ユニットに係る好適な実施形態について説明する。以下の説明において、異なる図面においても同じ符号を付した構成は同様のものであるとして、その説明を省略する場合がある。
【００１８】
図１は、本発明の一実施形態に係る歯科治療ユニットの一例を示す全体斜視図である。
図１に示した歯科治療ユニット１００は、治療椅子１１０、ワークテーブル１２０、インスツルメント１３０、フットコントローラー１４０等から成り、周知のように、歯科治療に当り、患者は治療椅子１１０に座り、頭を安頭台１１１に固定して治療を受ける。
ワークテーブル１２０は、インスツルメントホルダ１２１、タービンホース（エアホース）１２２等から成る。インスツルメントホルダ１２１には、歯科治療において術者が使用する種々のインスツルメント１３０が収納されている。本実施形態において、インスツルメント１３０は、エアタービン（歯科用治療機器）１３１、マイクロエンジン１３２、超音波スケーラー１３３である。
また、インスツルメントホルダ１２１には、抜き差し検出手段（図示せず）が設けられており、どのインスツルメント１３０がインスツルメントホルダ１２１から抜かれたのかが判別できるようになっている。
また、ワークテーブル１２０には、インスツルメントスタンド１２３が載置されている。インスツルメントスタンド１２３には、インスツルメントホルダ１２１に収まらなかったインスツルメント１３０が収納されている。本実施形態においては、後に詳述する歯科用レーザー機器１５０が収納されている。
【００１９】
図２は本発明の一実施形態に係る歯科治療ユニットにおいて装置構成を示すブロック図であり、図３は本発明の一実施形態に係る歯科治療ユニットにおいて、歯科用レーザー機器の内部構造を示した概略図である。
エアタービン１３１は、タービンホース１２２に対して脱着自在であり、患部の状態に応じて適宜最適なハンドピースが選択できるようになっている。そして、エアタービン１３１は、タービンホース１２２から供給されるエアタービン駆動用空気（圧縮空気）ＤＡにより回転するエアタービン本体１３１ａと、このエアタービン本体１３１ａに取り付けられエアタービン本体１３１ａの回転動力Ｖにより回転する切削バー１３１ｂとを有している。エアタービン駆動用空気ＤＡがエアタービン本体１３１ａに供給されることにより、エアタービン本体１３１ａと共に切削バー１３１ｂが回転し、患部を切削する。なお、エアタービン本体１３１ａに供給されるエアタービン駆動用空気ＤＡは、エアタービン本体１３１ａを通過した後、再度タービンホース１２２に戻ってくる。
さらにエアタービン１３１は、患部を切削している際に患部を冷却するための水Ｗおよび空気Ａを噴射するための液体噴出口１３１ｃおよび空気噴出口１３１ｄを有している。
【００２０】
ワークテーブル１２０から延びるタービンホース１２２は、エアタービン１３１に各種流体を供給するものである。すなわち、タービンホース１２２は、エアタービン駆動用空気ＤＡと水Ｗと空気Ａをエアタービン１３１に供給すると共にエアタービン本体１３１ａを通過したエアタービン駆動用空気ＤＡを回収する。換言すれば、タービンホース１２２は、エアタービン駆動用空気給気路１２２ａと、水供給路１２２ｂと、空気供給路１２２ｃと、エアタービン駆動用空気排気路１２２ｄとを有している。
さらに、タービンホース１２２の先端には光源（ＬＥＤ）１２２ｅが取り付けられており、長軸方向に光線Ｌを照射している。
【００２１】
フットコントローラー１４０は、ワークテーブル１２０と電気的に接続されており、フットコントローラー１４０への操作に応じた制御信号Ｓを歯科治療ユニット１００の制御部（図示せず）に送信する。制御信号Ｓを受信した歯科治療ユニット１００の制御部は、エアタービン１３１がインスツルメントホルダ１２１から抜かれている場合において、タービンホース１２２が供給するエアタービン駆動用空気ＤＡの瞬間流量を調整する。
なお、マイクロエンジン１３２や超音波スケーラー１３３がインスツルメントホルダ１２１から抜かれている場合、制御信号Ｓを受信したワークテーブル１２０内の制御部はそれぞれへの通電量を調整する。
【００２２】
歯科用レーザー機器１５０は、エアタービン１３１と同様にタービンホース１２２に対して脱着自在である。そして、歯科用レーザー機器１５０は、レーザービームを生成し患者へ照射するレーザー照射機構１５１と、タービンホース１２２から歯科用レーザー機器１５０に供給されるエアタービン駆動用空気を感知する空気供給検知手段１５２とを有している。
なお、本実施形態では、空気供給検知手段１５２として、感圧素子を用い、この感圧素子により流路内の圧力を感知しているが、流路中に瞬間流量や流速を検知する素子を配置してもよい。
また、歯科用レーザー機器１５０は、さらに、患部を切削している際に患部を冷却するための水Ｗおよび空気Ａを噴射する液体噴出口１５３および空気噴出口１５４を有している。
【００２３】
歯科用レーザー機器１５０は、略円筒形状であり、一端側には略円筒状の凹部１５０ａが形成されており、この凹部１５０ａにタービンホース１２２の先端が挿入される。これにより、歯科用レーザー機器１５０が、タービンホース１２２と接続および連通される。
【００２４】
歯科用レーザー機器１５０は、前述のように、レーザービームを生成し患者へ照射するレーザー照射機構１５１を備えている。このレーザー照射機構１５１は、レーザービームを生成するレーザーダイオード１５１ａと、このレーザーダイオード１５１ａに当接してレーザーダイオード１５１ａの発熱を逃がすヒートシンク１５１ｂと、レーザーダイオード１５１ａから生成されるレーザービームが通過するレーザー導光路１５１ｃと、このレーザー導光路１５１ｃの出口側に接続され患部にレーザービームを照射するチップ１５１ｄとを有している。
さらに、レーザー照射機構１５１は、レーザーダイオード１５１ａに電力を供給する電源１５１ｅと、レーザーダイオード１５１ａへの電力供給量を制御するコントローラー１５１ｆとを有している。なお、本実施形態において、電源１５１ｅはリチウムイオンバッテリーである。
【００２５】
歯科用レーザー機器１５０は、タービンホース１２２の光源１２２ｅが発する光線Ｌが通る導光路１５５を有している。導光路１５５の一端には凹部１５０ａ内に形成され、他端にはガイド光照射口１５６が形成されている。これにより、タービンホース１２２の光源１２２ｅが発する光線Ｌがガイド光照射口１５６から患部に照射され、患部周辺を明るく照らすことができる。
【００２６】
また、歯科用レーザー機器１５０は、タービンホース１２２から供給されるエアタービン駆動用空気ＤＡ、空気Ａ、水Ｗの流路およびタービンホース１２２へエアタービン駆動用空気ＤＡを排出するための流路を有している。すなわち、歯科用レーザー機器１５０は、エアタービン駆動用空気導入路１５７ａと、エアタービン駆動用空気排出路１５７ｂと、水流路１５７ｃと、空気流路１５７ｄとを有している。
【００２７】
これらの流路の一端はすべて凹部１５０ａ内に形成されている。エアタービン駆動用空気導入路１５７ａの他端およびエアタービン駆動用空気排出路１５７ｂの他端は空気室１５８と連通している。すなわち、エアタービン駆動用空気導入路１５７ａとエアタービン駆動用空気排出路１５７ｂとは空気室１５８とを介して連通している。
この空気室１５８には前述のヒートシンク１５１ｂが当接している。これにより、レーザーダイオード１５１ａの発熱はヒートシンク１５１ｂを介して空気室１５８に放熱される。
また、水流路１５７ｃの終端側には液体噴出口１５３が形成されている。同様に空気流路１５７ｄの終端側には空気噴出口１５４が形成されている。
【００２８】
エアタービン駆動用空気導入路１５７ａは、途中で二股に分岐しており、一方の先端には空気供給検知手段１５２が取り付けられている。
【００２９】
チップ１５１ｄと液体噴出口１５３と空気噴出口１５４とガイド光照射口１５６とは、歯科用レーザー機器１５０の先端側（凹部１５０ａが形成されている側と反対側）に形成されている。そして、液体噴出口１５３と空気噴出口１５４とガイド光照射口１５６とは、チップ１５１ｄの近傍に配置されている。
【００３０】
また、凹部１５０ａ内に形成された、導光路１５５と、エアタービン駆動用空気導入路１５７ａと、エアタービン駆動用空気排出路１５７ｂと、水流路１５７ｃと、空気流路１５７ｄとの開口位置は、それぞれ、歯科用レーザー機器１５０とタービンホース１２２とを接続した際に光源１２２ｅと、エアタービン駆動用空気給気路１２２ａと、水供給路１２２ｂと、空気供給路１２２ｃと、エアタービン駆動用空気排気路１２２ｄと対向する位置になっている。すなわち、導光路１５５の開口は光源１２２ｅと対向し、エアタービン駆動用空気導入路１５７ａの開口はエアタービン駆動用空気給気路１２２ａの開口と対向し、エアタービン駆動用空気排出路１５７ｂの開口はエアタービン駆動用空気排気路１２２ｄの開口と対向し、水流路１５７ｃの開口は水供給路１２２ｂの開口と対向し、空気流路１５７ｄの開口は空気供給路１２２ｃの開口と対向している。
なお、図示されていないが、タービンホース１２２にはシール機構が複数設けられている。これにより、タービンホース１２２と歯科用レーザー機器１５０とを接続した場合において、エアタービン駆動用空気給気路１２２ａと、水供給路１２２ｂと、空気供給路１２２ｃと、エアタービン駆動用空気排気路１２２ｄとがそれぞれ独立している。そのため、例えば、水供給路１２２ｂ内の水がエアタービン駆動用空気給気路１２２ａなどに漏れることが抑制されている。
【００３１】
次に、図２および図３を用いて、歯科用レーザー機器１５０の使用方法および動作について説明する。
前述のように歯科用レーザー機器１５０は、通常エアタービン１３１が接続されるタービンホース１２２に対して脱着可能である。歯科用レーザー機器１５０を使用する際には、エアタービン１３１からタービンホース１２２を外して、歯科用レーザー機器１５０に接続する。この際、タービンホース１２２の先端を歯科用レーザー機器１５０の凹部１５０ａに挿入する。
【００３２】
そして、患部にレーザービームを照射したい場合、歯科医師はフットコントローラー１４０を踏む。これにより、タービンホース１２２からエアタービン駆動用空気ＤＡが、エアタービン駆動用空気給気路１２２ａを介して歯科用レーザー機器１５０に供給される。歯科用レーザー機器１５０に供給されたエアタービン駆動用空気ＤＡは、エアタービン駆動用空気導入路１５７ａ内に流入する。そして、エアタービン駆動用空気導入路１５７ａ内に設けられた分岐により、エアタービン駆動用空気ＤＡの一部は空気供給検知手段１５２に供給され、残りは空気室１５８に供給される。空気供給検知手段１５２にエアタービン駆動用空気ＤＡが供給されることにより、空気供給検知手段１５２に空気圧が印加されるため、空気供給検知手段１５２はこの空気圧の印加により、歯科用レーザー機器１５０にエアタービン駆動用空気ＤＡが供給されたことを検知する。
空気供給検知手段１５２が、エアタービン駆動用空気ＤＡを検知すると、検知信号がコントローラー１５１ｆに伝達され、コントローラー１５１ｆはレーザーダイオード１５１ａに通電を行う。これにより、レーザーダイオード１５１ａからレーザービームが照射され、レーザー導光路１５１ｃを通り、チップ１５１ｄから患部に向けてレーザービームが照射される。
また、このとき、タービンホース１２２から歯科用レーザー機器１５０に水Ｗが供給され、この水Ｗは歯科用レーザー機器１５０内の水流路１５７ｃを通り、液体噴出口１５３から噴出される。さらに、タービンホース１２２から歯科用レーザー機器１５０に空気Ａも供給され、この空気Ａは歯科用レーザー機器１５０内の空気流路１５７ｄを通り、空気噴出口１５４から噴出される。
【００３３】
一方、空気室１５８に供給されたエアタービン駆動用空気ＤＡは、エアタービン駆動用空気排出路１５７ｂを通り、タービンホース１２２内のエアタービン駆動用空気排気路１２２ｄに排出される。ここで、ヒートシンク１５１ｂが空気室１５８に当接しているため、レーザーダイオード１５１ａの発熱が空気室１５８に伝導されているため、エアタービン駆動用空気ＤＡが空気室１５８内を通ることで、レーザーダイオード１５１ａの発熱をエアタービン駆動用空気ＤＡに伝導させることができる。すなわち、エアタービン駆動用空気ＤＡは、レーザーダイオード１５１ａを冷却させることができる。
【００３４】
また、フットコントローラー１４０は、歯科医師の踏み込み量に応じた制御信号Ｓを出力できる。すなわち、フットコントローラー１４０は、単なるＯＮ／ＯＦＦの２値を出力するものではなく、複数の値を出力できるものである。このようなフットコントローラー１４０を用いる場合、タービンホース１２２が供給するエアタービン駆動用空気ＤＡの瞬間流量も一定値ではなく、複数の瞬間流量を供給することができる。本実施形態においては、フットコントローラー１４０を踏み込むほど、タービンホース１２２が供給するエアタービン駆動用空気ＤＡの瞬間流量を大きくすることができる。
そして、歯科用レーザー機器１５０も、空気供給検知手段１５２により単なるＯＮ／ＯＦＦの２値を検知するだけでなく、様々な瞬間流量（本実施形態においては、空気圧）を検出することができる。したがって、コントローラー１５１ｆには、空気供給検知手段１５２からＯＮ／ＯＦＦに対応する２値のみでなく、空気供給検知手段１５２から様々な値が入力される。コントローラー１５１ｆは、この空気供給検知手段１５２からの入力値に応じて、レーザーダイオード１５１ａへの印加電圧を変えることができる。本実施形態においては、空気供給検知手段１５２から入力される値が大きくなるほど（すなわち、フットコントローラー１４０を踏み込むほど）、レーザーダイオード１５１ａへの印加電圧が大きくなり、レーザービームの出力が大きくなる。
【００３５】
このように構成され動作する歯科治療ユニット１００および歯科用レーザー機器１５０は、歯科用レーザー機器１５０へ供給される圧縮空気であるエアタービン駆動用空気ＤＡの有無に応じて歯科用レーザー機器１５０によるレーザービームの照射および非照射が切り換えられることにより、歯科用レーザー機器１５０を操作するための専用のフットコントローラーを設ける必要がなくなるため、歯科医師の足元がすっきりし、作業環境を向上させることができる。
【００３６】
さらに、歯科用レーザー機器１５０のレーザー照射機構１５１から照射されるレーザービームの出力が、空気供給検知手段１５２が検知した瞬間流量に応じて調整されることにより、フットコントローラー１４０への操作だけでレーザービームの出力変更が可能となるため、歯科用レーザー機器１５０の使用性を向上させることができる。
【００３７】
さらに、空気供給検知手段１５２が、感圧素子であることにより、瞬間流量や流速によってエアタービン駆動用空気ＤＡを検出場合に比べて簡便な構造となるため、歯科用レーザー機器１５０の耐久性を向上させることができる。
【００３８】
さらに、歯科用レーザー機器１５０のレーザーダイオード１５１ａが、エアタービン駆動用空気ＤＡによって冷却されることにより、歯科用レーザー機器１５０自体の温度上昇が抑制されるため、歯科用レーザー機器１５０の使用性を向上させることができる。
また、レーザーダイオード１５１ａの冷却にエアタービン駆動用空気ＤＡを用いることにより、ペルチェ素子等を使用して冷却する場合に比べて、レーザーダイオード１５１ａの冷却機構を簡便なものとすることができるだけでなく、電源１５１ｅのサイズを小型化できる。
【００３９】
さらに、タービンホース１２２のエアタービン駆動用空気給気路１２２ａから歯科用レーザー機器１５０に供給されるエアタービン駆動用空気ＤＡが、歯科用レーザー機器１５０内を通過した後、タービンホース１２２のエアタービン駆動用空気排気路１２２ｄに流入することにより、歯科用レーザー機器１５０内にエアタービン駆動用空気ＤＡが充満することがないため、空気供給検知手段１５２等に過大な空気圧が印加されることを抑制でき、より歯科用レーザー機器１５０の耐久性を向上させることができる。
さらに、常に歯科用レーザー機器１５０には新しいエアタービン駆動用空気ＤＡが供給されることになるため、歯科用レーザー機器１５０内にエアタービン駆動用空気ＤＡが滞留する場合に比べて、レーザーダイオード１５１ａの冷却効率が低下を抑制できる。
【００４０】
さらに、歯科用レーザー機器１５０が、液体噴出口１５３および空気噴出口１５４を有していることにより、患部を冷却したり、患部付近の汚れ等を除去したりすることができる。
【００４１】
以上、本発明を実施するための形態について説明したが、本発明は上記に限定されるものではない。
例えば、本実施形態において、歯科用レーザー機器１５０は、歯科医師が使用するものとしていたが、歯科衛生士や歯科助手等が用いるものであってもよい。
また、本実施形態において、歯科用レーザー機器１５０は、う蝕歯質の除去や根管治療、知覚過敏症の疼痛軽減などの歯牙硬組織に対する処置を目的するものであったが、コンポジットレジンの硬化を目的としてもよい。
また、本実施形態において、インスツルメント１３０は、エアタービン１３１、マイクロエンジン１３２、超音波スケーラー１３３であったが、インスツルメント１３０の個数および種類はこれらに限定されるものではない。
また、本実施形態において、歯科用治療機器はエアタービン１３１であったが、本発明の歯科用治療機器はエアタービンに限定されるものでなく、圧縮空気によって作動するものであれば如何なる治療機器であってもよい。
また、本実施形態において、エアホースはエアタービン１３１に対して着脱自在なタービンホース１２２であったが、本発明のエアホースはタービンホースに限定されるものでなく、圧縮空気を歯科用レーザー機器に供給できるものであれば如何なるものであってもよく、例えば、歯科用レーザー機器に圧縮空気を供給する専用ホースであってもよい。
また、本実施形態において、電源１５１ｅは、リチウムイオンバッテリーであったが、小型の発電機でもよい。
また、本実施形態において、液体噴出口１５３および空気噴出口１５４から噴出される水Ｗおよび空気Ａは、患部の冷却を目的としていたが、他の目的も果たしてもよい。
また、本実施形態において、液体噴出口１５３から水Ｗを噴射していたが、薬液等を噴射するものであってもよい。
【符号の説明】
【００４２】
１００…歯科治療ユニット、１１０…治療椅子、１１１…安頭台、１２０…ワークテーブル、１２１…インスツルメントホルダ、１２２…タービンホース（エアホース）、１２２ａ…エアタービン駆動用空気給気路、１２２ｂ…水供給路、１２２ｃ…空気供給路、１２２ｄ…エアタービン駆動用空気排気路、１２２ｅ…光源（ＬＥＤ）、１２３…インスツルメントスタンド、１３０…インスツルメント、１３１…エアタービン（歯科用治療機器）、１３１ａ…エアタービン本体、１３１ｂ…切削バー、１３１ｃ…液体噴出口、１３１ｄ…空気噴出口、１３２…マイクロエンジン、１３３…超音波スケーラー、１４０…フットコントローラー、１５０…歯科用レーザー機器、１５０ａ…凹部、１５１…レーザー照射機構、１５１ａ…レーザーダイオード、１５１ｂ…ヒートシンク、１５１ｃ…レーザー導光路、１５１ｄ…チップ、１５１ｅ…電源、１５１ｆ…コントローラー、１５２…空気供給検知手段（感圧素子）、１５３…液体噴出口、１５４…空気噴出口、１５５…導光路、１５６…ガイド光照射口、１５７ａ…エアタービン駆動用空気導入路、１５７ｂ…エアタービン駆動用空気排出路、１５７ｃ…水流路、１５７ｄ…空気流路、１５８…空気室。
【図１】
2019048028.tif 000003
【図２】
2019048028.tif 000004
【図３】
2019048028.tif 000005
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
圧縮空気を供給するエアホースと、患部に向けてレーザービームを照射するレーザー照射機構を有する歯科用レーザー機器とを備えた歯科治療ユニットであって、
前記歯科用レーザー機器が、前記エアホースに接続され、
前記歯科用レーザー機器へ供給される前記圧縮空気の有無に応じて前記歯科用レーザー機器によるレーザービームの照射および非照射が切り換えられることを特徴とする歯科治療ユニット。
【請求項２】
前記歯科用レーザー機器が、前記圧縮空気の供給を感知する空気供給検知手段を備え、
前記歯科用レーザー機器のレーザー照射機構から照射されるレーザービームの出力は、前記空気供給検知手段が検知した瞬間流量に応じて調整されることを特徴とする請求項１に記載の歯科治療ユニット。
【請求項３】
前記歯科用レーザー機器に供給する前記圧縮空気の供給量を制御するフットコントローラーを備えていることを特徴とする請求項２に記載の歯科治療ユニット。
【請求項４】
患部に向けてレーザービームを照射するレーザー照射機構を有した歯科用レーザー機器において、
前記歯科用レーザー機器へ供給される圧縮空気の有無に応じて前記歯科用レーザー機器によるレーザービームの照射および非照射が切り換えられることを特徴とする歯科用レーザー機器。
【手続補正２】
【補正対象書類名】明細書
【補正対象項目名】全文
【補正方法】変更
【補正の内容】
【発明の詳細な説明】
【技術分野】
【０００１】
本発明は、歯科治療ユニットおよび歯科用レーザー機器に関し、詳しくは、圧縮空気により作動する歯科用治療機器に圧縮空気を供給するエアホースに接続可能な歯科用レーザー機器を備えた歯科治療ユニットおよびエアホースに接続可能な歯科用レーザー機器に関する。
【背景技術】
【０００２】
従来、う蝕歯質の除去や根管治療、知覚過敏症の疼痛軽減などの歯牙硬組織に対する処置を目的として、歯科用レーザー機器が用いられている（特許文献１参照）。
【０００３】
この歯科用レーザー機器は、所定の波長を有するレーザービームを発振させるためのレーザー媒質と、このレーザー媒質に励起光を供給するための励起光源と、この励起光源への電力供給を制御するフットコントローラーと、レーザービームを患部に照射するためのハンドピースとを備えている。歯科医師は、この歯科用レーザー機器のフットコントローラーを操作することで患部へレーザービームを照射し、患者に対して処置を行う。
【先行技術文献】
【特許文献】
【０００４】
【特許文献１】特開２００６−２０４６０９号公報
【発明の概要】
【発明が解決しようとする課題】
【０００５】
上述のような歯科用レーザー機器を用いる場合、歯科医師の足元には、歯科診療ユニットのエアタービン等を駆動するためのフットコントローラーが設置されるだけでなく、歯科用レーザー機器を作動させるためのフットコントローラーも設置されることとなり、歯科医師の足元が煩雑になってしまうという問題があった。
【０００６】
本発明は、これらの実情に鑑みてなされたものであり、歯科医師の足元が煩雑にならない歯科用レーザー機器を備えた歯科治療ユニットおよび歯科用レーザー機器を提供することをその目的とする。
【課題を解決するための手段】
【０００７】
上記課題を解決するために、請求項１の発明は、圧縮空気を供給するエアホースと、患部に向けてレーザービームを照射するレーザー照射機構を有する歯科用レーザー機器とを備えた歯科治療ユニットであって、前記歯科用レーザー機器が、前記エアホースに接続され、前記歯科用レーザー機器へ供給される前記圧縮空気の有無に応じて前記歯科用レーザー機器によるレーザービームの照射および非照射が切り換えられることを特徴とするものである。
【０００８】
請求項２の発明は、請求項１の発明において、前記歯科用レーザー機器が、前記圧縮空気の供給を感知する空気供給検知手段を備え、前記歯科用レーザー機器のレーザー照射機構から照射されるレーザービームの出力は、前記空気供給検知手段が検知した瞬間流量に応じて調整されることを特徴とするものである。
【０００９】
請求項３の発明は、請求項２の発明において、前記歯科用レーザー機器に供給する前記圧縮空気の供給量を制御するフットコントローラーを備えていることを特徴とするものである。
【００１０】
請求項４の発明は、患部に向けてレーザービームを照射するレーザー照射機構を有した歯科用レーザー機器において、前記歯科用レーザー機器へ供給される圧縮空気の有無に応じて前記歯科用レーザー機器によるレーザービームの照射および非照射が切り換えられることを特徴とするものである。
【発明の効果】
【００１１】
本発明によれば、歯科用レーザー機器へ供給される圧縮空気の有無に応じて歯科用レーザー機器によるレーザービームの照射および非照射が切り換えられることにより、歯科用レーザー機器を操作するための専用のフットコントローラーを設ける必要がなくなるため、歯科医師の足元がすっきりし、作業環境を向上させることができる。
【図面の簡単な説明】
【００１２】
【図１】本発明の一実施形態に係る歯科治療ユニットの一例を示す全体斜視図である。
【図２】本発明の一実施形態に係る歯科治療ユニットにおいて、装置構成を示すブロック図である。
【図３】本発明の一実施形態に係る歯科治療ユニットにおいて、歯科用レーザー機器の内部構造を示した概略図である。
【発明を実施するための形態】
【００１３】
以下、図面を参照しながら、本発明の歯科用レーザー機器および歯科治療ユニットに係る好適な実施形態について説明する。以下の説明において、異なる図面においても同じ符号を付した構成は同様のものであるとして、その説明を省略する場合がある。
【００１４】
図１は、本発明の一実施形態に係る歯科治療ユニットの一例を示す全体斜視図である。
図１に示した歯科治療ユニット１００は、治療椅子１１０、ワークテーブル１２０、インスツルメント１３０、フットコントローラー１４０等から成り、周知のように、歯科治療に当り、患者は治療椅子１１０に座り、頭を安頭台１１１に固定して治療を受ける。
ワークテーブル１２０は、インスツルメントホルダ１２１、タービンホース（エアホース）１２２等から成る。インスツルメントホルダ１２１には、歯科治療において術者が使用する種々のインスツルメント１３０が収納されている。本実施形態において、インスツルメント１３０は、エアタービン（歯科用治療機器）１３１、マイクロエンジン１３２、超音波スケーラー１３３である。
また、インスツルメントホルダ１２１には、抜き差し検出手段（図示せず）が設けられており、どのインスツルメント１３０がインスツルメントホルダ１２１から抜かれたのかが判別できるようになっている。
また、ワークテーブル１２０には、インスツルメントスタンド１２３が載置されている。インスツルメントスタンド１２３には、インスツルメントホルダ１２１に収まらなかったインスツルメント１３０が収納されている。本実施形態においては、後に詳述する歯科用レーザー機器１５０が収納されている。
【００１５】
図２は本発明の一実施形態に係る歯科治療ユニットにおいて装置構成を示すブロック図であり、図３は本発明の一実施形態に係る歯科治療ユニットにおいて、歯科用レーザー機器の内部構造を示した概略図である。
エアタービン１３１は、タービンホース１２２に対して脱着自在であり、患部の状態に応じて適宜最適なハンドピースが選択できるようになっている。そして、エアタービン１３１は、タービンホース１２２から供給されるエアタービン駆動用空気（圧縮空気）ＤＡにより回転するエアタービン本体１３１ａと、このエアタービン本体１３１ａに取り付けられエアタービン本体１３１ａの回転動力Ｖにより回転する切削バー１３１ｂとを有している。エアタービン駆動用空気ＤＡがエアタービン本体１３１ａに供給されることにより、エアタービン本体１３１ａと共に切削バー１３１ｂが回転し、患部を切削する。なお、エアタービン本体１３１ａに供給されるエアタービン駆動用空気ＤＡは、エアタービン本体１３１ａを通過した後、再度タービンホース１２２に戻ってくる。
さらにエアタービン１３１は、患部を切削している際に患部を冷却するための水Ｗおよび空気Ａを噴射するための液体噴出口１３１ｃおよび空気噴出口１３１ｄを有している。
【００１６】
ワークテーブル１２０から延びるタービンホース１２２は、エアタービン１３１に各種流体を供給するものである。すなわち、タービンホース１２２は、エアタービン駆動用空気ＤＡと水Ｗと空気Ａをエアタービン１３１に供給すると共にエアタービン本体１３１ａを通過したエアタービン駆動用空気ＤＡを回収する。換言すれば、タービンホース１２２は、エアタービン駆動用空気給気路１２２ａと、水供給路１２２ｂと、空気供給路１２２ｃと、エアタービン駆動用空気排気路１２２ｄとを有している。
さらに、タービンホース１２２の先端には光源（ＬＥＤ）１２２ｅが取り付けられており、長軸方向に光線Ｌを照射している。
【００１７】
フットコントローラー１４０は、ワークテーブル１２０と電気的に接続されており、フットコントローラー１４０への操作に応じた制御信号Ｓを歯科治療ユニット１００の制御部（図示せず）に送信する。制御信号Ｓを受信した歯科治療ユニット１００の制御部は、エアタービン１３１がインスツルメントホルダ１２１から抜かれている場合において、タービンホース１２２が供給するエアタービン駆動用空気ＤＡの瞬間流量を調整する。
なお、マイクロエンジン１３２や超音波スケーラー１３３がインスツルメントホルダ１２１から抜かれている場合、制御信号Ｓを受信したワークテーブル１２０内の制御部はそれぞれへの通電量を調整する。
【００１８】
歯科用レーザー機器１５０は、エアタービン１３１と同様にタービンホース１２２に対して脱着自在である。そして、歯科用レーザー機器１５０は、レーザービームを生成し患者へ照射するレーザー照射機構１５１と、タービンホース１２２から歯科用レーザー機器１５０に供給されるエアタービン駆動用空気を感知する空気供給検知手段１５２とを有している。
なお、本実施形態では、空気供給検知手段１５２として、感圧素子を用い、この感圧素子により流路内の圧力を感知しているが、流路中に瞬間流量や流速を検知する素子を配置してもよい。
また、歯科用レーザー機器１５０は、さらに、患部を切削している際に患部を冷却するための水Ｗおよび空気Ａを噴射する液体噴出口１５３および空気噴出口１５４を有している。
【００１９】
歯科用レーザー機器１５０は、略円筒形状であり、一端側には略円筒状の凹部１５０ａが形成されており、この凹部１５０ａにタービンホース１２２の先端が挿入される。これにより、歯科用レーザー機器１５０が、タービンホース１２２と接続および連通される。
【００２０】
歯科用レーザー機器１５０は、前述のように、レーザービームを生成し患者へ照射するレーザー照射機構１５１を備えている。このレーザー照射機構１５１は、レーザービームを生成するレーザーダイオード１５１ａと、このレーザーダイオード１５１ａに当接してレーザーダイオード１５１ａの発熱を逃がすヒートシンク１５１ｂと、レーザーダイオード１５１ａから生成されるレーザービームが通過するレーザー導光路１５１ｃと、このレーザー導光路１５１ｃの出口側に接続され患部にレーザービームを照射するチップ１５１ｄとを有している。
さらに、レーザー照射機構１５１は、レーザーダイオード１５１ａに電力を供給する電源１５１ｅと、レーザーダイオード１５１ａへの電力供給量を制御するコントローラー１５１ｆとを有している。なお、本実施形態において、電源１５１ｅはリチウムイオンバッテリーである。
【００２１】
歯科用レーザー機器１５０は、タービンホース１２２の光源１２２ｅが発する光線Ｌが通る導光路１５５を有している。導光路１５５の一端には凹部１５０ａ内に形成され、他端にはガイド光照射口１５６が形成されている。これにより、タービンホース１２２の光源１２２ｅが発する光線Ｌがガイド光照射口１５６から患部に照射され、患部周辺を明るく照らすことができる。
【００２２】
また、歯科用レーザー機器１５０は、タービンホース１２２から供給されるエアタービン駆動用空気ＤＡ、空気Ａ、水Ｗの流路およびタービンホース１２２へエアタービン駆動用空気ＤＡを排出するための流路を有している。すなわち、歯科用レーザー機器１５０は、エアタービン駆動用空気導入路１５７ａと、エアタービン駆動用空気排出路１５７ｂと、水流路１５７ｃと、空気流路１５７ｄとを有している。
【００２３】
これらの流路の一端はすべて凹部１５０ａ内に形成されている。エアタービン駆動用空気導入路１５７ａの他端およびエアタービン駆動用空気排出路１５７ｂの他端は空気室１５８と連通している。すなわち、エアタービン駆動用空気導入路１５７ａとエアタービン駆動用空気排出路１５７ｂとは空気室１５８とを介して連通している。
この空気室１５８には前述のヒートシンク１５１ｂが当接している。これにより、レーザーダイオード１５１ａの発熱はヒートシンク１５１ｂを介して空気室１５８に放熱される。
また、水流路１５７ｃの終端側には液体噴出口１５３が形成されている。同様に空気流路１５７ｄの終端側には空気噴出口１５４が形成されている。
【００２４】
エアタービン駆動用空気導入路１５７ａは、途中で二股に分岐しており、一方の先端には空気供給検知手段１５２が取り付けられている。
【００２５】
チップ１５１ｄと液体噴出口１５３と空気噴出口１５４とガイド光照射口１５６とは、歯科用レーザー機器１５０の先端側（凹部１５０ａが形成されている側と反対側）に形成されている。そして、液体噴出口１５３と空気噴出口１５４とガイド光照射口１５６とは、チップ１５１ｄの近傍に配置されている。
【００２６】
また、凹部１５０ａ内に形成された、導光路１５５と、エアタービン駆動用空気導入路１５７ａと、エアタービン駆動用空気排出路１５７ｂと、水流路１５７ｃと、空気流路１５７ｄとの開口位置は、それぞれ、歯科用レーザー機器１５０とタービンホース１２２とを接続した際に光源１２２ｅと、エアタービン駆動用空気給気路１２２ａと、水供給路１２２ｂと、空気供給路１２２ｃと、エアタービン駆動用空気排気路１２２ｄと対向する位置になっている。すなわち、導光路１５５の開口は光源１２２ｅと対向し、エアタービン駆動用空気導入路１５７ａの開口はエアタービン駆動用空気給気路１２２ａの開口と対向し、エアタービン駆動用空気排出路１５７ｂの開口はエアタービン駆動用空気排気路１２２ｄの開口と対向し、水流路１５７ｃの開口は水供給路１２２ｂの開口と対向し、空気流路１５７ｄの開口は空気供給路１２２ｃの開口と対向している。
なお、図示されていないが、タービンホース１２２にはシール機構が複数設けられている。これにより、タービンホース１２２と歯科用レーザー機器１５０とを接続した場合において、エアタービン駆動用空気給気路１２２ａと、水供給路１２２ｂと、空気供給路１２２ｃと、エアタービン駆動用空気排気路１２２ｄとがそれぞれ独立している。そのため、例えば、水供給路１２２ｂ内の水がエアタービン駆動用空気給気路１２２ａなどに漏れることが抑制されている。
【００２７】
次に、図２および図３を用いて、歯科用レーザー機器１５０の使用方法および動作について説明する。
前述のように歯科用レーザー機器１５０は、通常エアタービン１３１が接続されるタービンホース１２２に対して脱着可能である。歯科用レーザー機器１５０を使用する際には、エアタービン１３１からタービンホース１２２を外して、歯科用レーザー機器１５０に接続する。この際、タービンホース１２２の先端を歯科用レーザー機器１５０の凹部１５０ａに挿入する。
【００２８】
そして、患部にレーザービームを照射したい場合、歯科医師はフットコントローラー１４０を踏む。これにより、タービンホース１２２からエアタービン駆動用空気ＤＡが、エアタービン駆動用空気給気路１２２ａを介して歯科用レーザー機器１５０に供給される。歯科用レーザー機器１５０に供給されたエアタービン駆動用空気ＤＡは、エアタービン駆動用空気導入路１５７ａ内に流入する。そして、エアタービン駆動用空気導入路１５７ａ内に設けられた分岐により、エアタービン駆動用空気ＤＡの一部は空気供給検知手段１５２に供給され、残りは空気室１５８に供給される。空気供給検知手段１５２にエアタービン駆動用空気ＤＡが供給されることにより、空気供給検知手段１５２に空気圧が印加されるため、空気供給検知手段１５２はこの空気圧の印加により、歯科用レーザー機器１５０にエアタービン駆動用空気ＤＡが供給されたことを検知する。
空気供給検知手段１５２が、エアタービン駆動用空気ＤＡを検知すると、検知信号がコントローラー１５１ｆに伝達され、コントローラー１５１ｆはレーザーダイオード１５１ａに通電を行う。これにより、レーザーダイオード１５１ａからレーザービームが照射され、レーザー導光路１５１ｃを通り、チップ１５１ｄから患部に向けてレーザービームが照射される。
また、このとき、タービンホース１２２から歯科用レーザー機器１５０に水Ｗが供給され、この水Ｗは歯科用レーザー機器１５０内の水流路１５７ｃを通り、液体噴出口１５３から噴出される。さらに、タービンホース１２２から歯科用レーザー機器１５０に空気Ａも供給され、この空気Ａは歯科用レーザー機器１５０内の空気流路１５７ｄを通り、空気噴出口１５４から噴出される。
【００２９】
一方、空気室１５８に供給されたエアタービン駆動用空気ＤＡは、エアタービン駆動用空気排出路１５７ｂを通り、タービンホース１２２内のエアタービン駆動用空気排気路１２２ｄに排出される。ここで、ヒートシンク１５１ｂが空気室１５８に当接しているため、レーザーダイオード１５１ａの発熱が空気室１５８に伝導されているため、エアタービン駆動用空気ＤＡが空気室１５８内を通ることで、レーザーダイオード１５１ａの発熱をエアタービン駆動用空気ＤＡに伝導させることができる。すなわち、エアタービン駆動用空気ＤＡは、レーザーダイオード１５１ａを冷却させることができる。
【００３０】
また、フットコントローラー１４０は、歯科医師の踏み込み量に応じた制御信号Ｓを出力できる。すなわち、フットコントローラー１４０は、単なるＯＮ／ＯＦＦの２値を出力するものではなく、複数の値を出力できるものである。このようなフットコントローラー１４０を用いる場合、タービンホース１２２が供給するエアタービン駆動用空気ＤＡの瞬間流量も一定値ではなく、複数の瞬間流量を供給することができる。本実施形態においては、フットコントローラー１４０を踏み込むほど、タービンホース１２２が供給するエアタービン駆動用空気ＤＡの瞬間流量を大きくすることができる。
そして、歯科用レーザー機器１５０も、空気供給検知手段１５２により単なるＯＮ／ＯＦＦの２値を検知するだけでなく、様々な瞬間流量（本実施形態においては、空気圧）を検出することができる。したがって、コントローラー１５１ｆには、空気供給検知手段１５２からＯＮ／ＯＦＦに対応する２値のみでなく、空気供給検知手段１５２から様々な値が入力される。コントローラー１５１ｆは、この空気供給検知手段１５２からの入力値に応じて、レーザーダイオード１５１ａへの印加電圧を変えることができる。本実施形態においては、空気供給検知手段１５２から入力される値が大きくなるほど（すなわち、フットコントローラー１４０を踏み込むほど）、レーザーダイオード１５１ａへの印加電圧が大きくなり、レーザービームの出力が大きくなる。
【００３１】
このように構成され動作する歯科治療ユニット１００および歯科用レーザー機器１５０は、歯科用レーザー機器１５０へ供給される圧縮空気であるエアタービン駆動用空気ＤＡの有無に応じて歯科用レーザー機器１５０によるレーザービームの照射および非照射が切り換えられることにより、歯科用レーザー機器１５０を操作するための専用のフットコントローラーを設ける必要がなくなるため、歯科医師の足元がすっきりし、作業環境を向上させることができる。
【００３２】
さらに、歯科用レーザー機器１５０のレーザー照射機構１５１から照射されるレーザービームの出力が、空気供給検知手段１５２が検知した瞬間流量に応じて調整されることにより、フットコントローラー１４０への操作だけでレーザービームの出力変更が可能となるため、歯科用レーザー機器１５０の使用性を向上させることができる。
【００３３】
さらに、空気供給検知手段１５２が、感圧素子であることにより、瞬間流量や流速によってエアタービン駆動用空気ＤＡを検出場合に比べて簡便な構造となるため、歯科用レーザー機器１５０の耐久性を向上させることができる。
【００３４】
さらに、歯科用レーザー機器１５０のレーザーダイオード１５１ａが、エアタービン駆動用空気ＤＡによって冷却されることにより、歯科用レーザー機器１５０自体の温度上昇が抑制されるため、歯科用レーザー機器１５０の使用性を向上させることができる。
また、レーザーダイオード１５１ａの冷却にエアタービン駆動用空気ＤＡを用いることにより、ペルチェ素子等を使用して冷却する場合に比べて、レーザーダイオード１５１ａの冷却機構を簡便なものとすることができるだけでなく、電源１５１ｅのサイズを小型化できる。
【００３５】
さらに、タービンホース１２２のエアタービン駆動用空気給気路１２２ａから歯科用レーザー機器１５０に供給されるエアタービン駆動用空気ＤＡが、歯科用レーザー機器１５０内を通過した後、タービンホース１２２のエアタービン駆動用空気排気路１２２ｄに流入することにより、歯科用レーザー機器１５０内にエアタービン駆動用空気ＤＡが充満することがないため、空気供給検知手段１５２等に過大な空気圧が印加されることを抑制でき、より歯科用レーザー機器１５０の耐久性を向上させることができる。
さらに、常に歯科用レーザー機器１５０には新しいエアタービン駆動用空気ＤＡが供給されることになるため、歯科用レーザー機器１５０内にエアタービン駆動用空気ＤＡが滞留する場合に比べて、レーザーダイオード１５１ａの冷却効率が低下を抑制できる。
【００３６】
さらに、歯科用レーザー機器１５０が、液体噴出口１５３および空気噴出口１５４を有していることにより、患部を冷却したり、患部付近の汚れ等を除去したりすることができる。
【００３７】
以上、本発明を実施するための形態について説明したが、本発明は上記に限定されるものではない。
例えば、本実施形態において、歯科用レーザー機器１５０は、歯科医師が使用するものとしていたが、歯科衛生士や歯科助手等が用いるものであってもよい。
また、本実施形態において、歯科用レーザー機器１５０は、う蝕歯質の除去や根管治療、知覚過敏症の疼痛軽減などの歯牙硬組織に対する処置を目的するものであったが、コンポジットレジンの硬化を目的としてもよい。
また、本実施形態において、インスツルメント１３０は、エアタービン１３１、マイクロエンジン１３２、超音波スケーラー１３３であったが、インスツルメント１３０の個数および種類はこれらに限定されるものではない。
また、本実施形態において、歯科用治療機器はエアタービン１３１であったが、本発明の歯科用治療機器はエアタービンに限定されるものでなく、圧縮空気によって作動するものであれば如何なる治療機器であってもよい。
また、本実施形態において、エアホースはエアタービン１３１に対して着脱自在なタービンホース１２２であったが、本発明のエアホースはタービンホースに限定されるものでなく、圧縮空気を歯科用レーザー機器に供給できるものであれば如何なるものであってもよく、例えば、歯科用レーザー機器に圧縮空気を供給する専用ホースであってもよい。
また、本実施形態において、電源１５１ｅは、リチウムイオンバッテリーであったが、小型の発電機でもよい。
また、本実施形態において、液体噴出口１５３および空気噴出口１５４から噴出される水Ｗおよび空気Ａは、患部の冷却を目的としていたが、他の目的も果たしてもよい。
また、本実施形態において、液体噴出口１５３から水Ｗを噴射していたが、薬液等を噴射するものであってもよい。
【符号の説明】
【００３８】
１００…歯科治療ユニット
１１０…治療椅子
１１１…安頭台
１２０…ワークテーブル
１２１…インスツルメントホルダ
１２２…タービンホース（エアホース）
１２２ａ…エアタービン駆動用空気給気路
１２２ｂ…水供給路
１２２ｃ…空気供給路
１２２ｄ…エアタービン駆動用空気排気路
１２２ｅ…光源（ＬＥＤ）
１２３…インスツルメントスタンド
１３０…インスツルメント
１３１…エアタービン（歯科用治療機器）
１３１ａ…エアタービン本体
１３１ｂ…切削バー
１３１ｃ…液体噴出口
１３１ｄ…空気噴出口
１３２…マイクロエンジン
１３３…超音波スケーラー
１４０…フットコントローラー
１５０…歯科用レーザー機器
１５０ａ…凹部
１５１…レーザー照射機構
１５１ａ…レーザーダイオード
１５１ｂ…ヒートシンク
１５１ｃ…レーザー導光路
１５１ｄ…チップ
１５１ｅ…電源
１５１ｆ…コントローラー
１５２…空気供給検知手段（感圧素子）
１５３…液体噴出口
１５４…空気噴出口
１５５…導光路
１５６…ガイド光照射口
１５７ａ…エアタービン駆動用空気導入路
１５７ｂ…エアタービン駆動用空気排出路
１５７ｃ…水流路
１５７ｄ…空気流路
１５８…空気室